(57)【要約】【課題】国や地域等により多様なテンプレートを提供でき、プリント注文システムを提供する側のテンプレート作成にかかる負担を低減する。【解決手段】写真プリントの注文者側に設置されるパソコン２とネットワークを介して接続される写真プリント注文システムであって、パソコン２から画像データのアップロードを受け付ける画像受付部１１と、アップロードされる画像データとの嵌め込み合成が可能なテンプレートデータが保存されるテンプレート保存部１０１と、テンプレートデータとこれに嵌め込み合成される画像データに基づいて、写真プリントの注文処理を行う注文処理部１５と、ネットワーク経由でテンプレートデータの投稿を受付可能なテンプレート画像受付部１２と、を備える。【選択図】図２
2011022932.tif 000002
【特許請求の範囲】
【請求項１】
テンプレート作成者側に設置されるコンピュータとネットワークを介して接続されるテンプレート投稿システムであって、
前記コンピュータからネットワーク経由でテンプレートデータの投稿を受付可能なテンプレート画像受付部と、
前記投稿されたテンプレートデータが保存されるテンプレート保存部と、
前記テンプレートデータをサービス提供のために処理するテンプレートデータ処理部と、を備えているテンプレート投稿システム。
【請求項２】
前記投稿されるテンプレートデータに不正画像が含まれるか否かをチェックし、不正画像が含まれる場合、当該テンプレートデータの投稿を不許可とする投稿可否判断部を備えていることを特徴とする請求項１に記載のテンプレート投稿システム。
【請求項３】
前記テンプレートデータは、前記作成者側のコンピュータで画像データの嵌め込み領域が設定されることを特徴とする請求項１又は２に記載のテンプレート投稿システム。
【請求項４】
前記投稿されたテンプレートデータが前記サービス提供に利用された回数をカウントする利用回数カウント部を備えていることを特徴とする請求項１〜３のいずれか１項に記載のテンプレート投稿システム。
【請求項５】
請求項１〜４のいずれか１項に記載のテンプレート投稿システムを用いた写真プリント注文システムであって、
写真プリントの注文者側に設置されるコンピュータからネットワークを介して画像データのアップロードを受け付ける画像受付部と、
前記アップロードされる画像データと、前記テンプレート保存部に保存されているテンプレートデータとの嵌め込み合成を行う合成処理部と、
前記テンプレートデータ処理部として機能し、嵌め込み合成される前記画像データに基づいて、写真プリントの注文処理を行う注文処理部と、を備えた写真プリント注文システム。
【請求項６】
請求項１〜４のいずれか１項に記載のテンプレート投稿システムとネットワーク経由で接続されるコンピュータにインストールされ、このコンピュータをテンプレートデータ投稿装置として機能させるためのテンプレート作成プログラムであって、
前記コンピュータを、
テンプレートデータのテンプレート領域を作成するためのテンプレート作成手段、
テンプレートデータに画像嵌め込み領域を設定するための嵌め込み領域設定手段、
嵌め込み領域が設定されたテンプレートデータのみを前記テンプレート投稿システムに投稿することを許可する投稿許否判断手段、として機能させることを特徴とするテンプレート作成プログラム。
【発明の詳細な説明】
【技術分野】
【０００１】
本発明は、テンプレート作成者側に設置されるコンピュータとネットワークを介して接続されるテンプレート投稿システム、このテンプレート投稿システムを用いた写真プリント注文システム、および、この写真プリント注文システムに接続されるコンピュータにインストールされるテンプレート作成プログラムに関するものである。
【背景技術】
【０００２】
写真プリントの注文の一形態として、インターネットを介してプリント注文を行うことが可能な写真プリント注文システムが知られている（下記の特許文献１参照）。プリント注文を行いたい注文者は、自分のパソコン（コンピュータ）を用いて、写真プリント注文システム（オンラインプリントサービス）を提供する会社のホームページにアクセスし、写真プリントとして作成したい画像データをアップロードすればよい。また、写真プリントを作成する場合に、テンプレートデータに画像データを嵌め込み合成した合成画像に基づいて写真プリントを作成する場合もある。例えば、年賀状プリント、記念プリント、名刺プリント、カレンダー等は、テンプレートデータに画像データを嵌め込み合成することで作成される。
【先行技術文献】
【特許文献】
【０００３】
【特許文献１】特開２００４−１３９４０６号公報
【発明の概要】
【発明が解決しようとする課題】
【０００４】
テンプレートデータとの画像合成を行う場合、当該テンプレートデータは、写真プリント注文システムを提供する会社で予め用意したものの中から選択させるようにしている。
【０００５】
一方、インターネットを介したプリント注文の受け付けは、場所が限定されるものではなく、いろいろな地域、国などで上記の写真プリント注文システムを構築することができる。したがって、多様な地域や国の人がアクセスしてくることが考えられる。かかる場合に、すべてのテンプレートを会社側でデザインし、予め用意しておくことは難しい。地域や国により、テンプレートのデザインに好みがあったり、また、文化的な問題等で受け入れができるデザイン、できないデザイン等が存在する。
【０００６】
本発明は上記実情に鑑みてなされたものであり、その課題は、テンプレートデータを用いたサービスを提供する場合、例えば、テンプレートデータと画像データを合成した合成画像に基づいて写真プリントの注文を行う場合、国や地域等により多様なテンプレートを提供でき、また、プリント注文システム等のサービスを提供する側のテンプレート作成にかかる負担を低減可能なテンプレート投稿システム、このテンプレート投稿システムを用いた写真プリント注文システム、及び、この写真プリント注文システムに接続されるコンピュータにインストールされるテンプレート作成プログラムを提供することである。
【課題を解決するための手段】
【０００７】
上記課題を解決するため本発明に係るテンプレート投稿システムは、
テンプレート作成者側に設置されるコンピュータとネットワークを介して接続されるテンプレート投稿システムであって、
前記コンピュータからネットワーク経由でテンプレートデータの投稿を受付可能なテンプレート画像受付部と、
前記投稿されたテンプレートデータが保存されるテンプレート保存部と、
前記テンプレートデータをサービス提供のために処理するテンプレートデータ処理部と、を備えていることを特徴とするものである。
【０００８】
かかる構成によるテンプレート投稿システムの作用・効果について説明する。このテンプレート投稿システムは、インターネット等のネットワークを介してテンプレート作成者側のコンピュータ（パソコン等）と接続される。このシステムは、コンピュータからアップロードされるテンプレートデータを受け付ける機能を有する。アップロードされたテンプレートデータがテンプレート保存部に保存されている。このテンプレートデータは、例えば、アップロードされた画像データを嵌め込み合成することができる。作成された合成画像を用いて、プリントの注文を行うことができる。プリントの対象は、ペーパー（通常の写真プリント）、Ｔシャツ、マグカップ等である。テンプレートデータ処理部は、これらのサービス提供のためにテンプレートデータの処理、例えば、プリント注文処理、テンプレートデータの送信処理等を実行する。また、テンプレートデータそのものを商品として販売するような注文処理も考えられる。
【０００９】
上記のテンプレートデータは、プリントサービス等のサービスを提供する側で用意するだけではなく、インターネット等のネットワーク経由でオリジナルのテンプレートデータを投稿できるように構成する。投稿ができるコンピュータは、テンプレート投稿システムにネットワーク経由で接続可能であればよく、上記種々のサービスの注文を行う注文者のコンピュータであってもよく、サービスの注文を行わない者に係るコンピュータであってもよい。上記構成により、多様なテンプレートデータを提供できるようになり、国や地域等の事情に応じたテンプレートデータの提供が可能になると共に、サービスを提供する側のテンプレート作成にかかる負担を低減することができる。
【００１０】
本発明において、前記投稿されるテンプレートデータに不正画像が含まれるか否かをチェックし、不正画像が含まれる場合、当該テンプレートデータの投稿を不許可とする投稿可否判断部を備えていることが好ましい。
【００１１】
例えば、テンプレートデータに著作権者の許可を得ていない画像や公序良俗に違反する画像が含まれている場合、これをチェックする機能を設ける。これにより、著作権法等に違反した画像の提供やプリントを未然に防止することができる。
【００１２】
本発明において、前記テンプレートデータは、前記作成者側のコンピュータで画像データの嵌め込み領域が設定されることが好ましい。
【００１３】
テンプレートデータには、テンプレート画像の部分と画像データの嵌め込み領域が必要である。かかる嵌め込み領域の設定は、テンプレートを作成した創作者の意図を反映できるように、創作者の側で設定することが好ましい。これにより、テンプレート投稿システムを提供する側の負担を低減することができる。
【００１４】
本発明において、前記投稿されたテンプレートデータが前記サービス提供に利用された回数をカウントする利用回数カウント部を備えていることが好ましい。
【００１５】
テンプレートデータを投稿して、そのテンプレートがいろいろな人に利用された場合、例えば、プリントの売り上げに貢献したものと評価できる。また、テンプレートそのものは著作物であるといえる。そこで、プリントの注文等のサービス提供に利用された回数をカウントすることで、利用回数に応じた金額（あるいは、有価証券、サービスポイント等）を作成者に供与できるようになる。これにより、更に優れたテンプレートの作成を期待することができる。なお、サービス提供の具体例としては、ペーパー、Ｔシャツ、マグカップ等へのプリント注文、テンプレート自体の販売が例としてあげられる。
【００１６】
本発明に係るテンプレート投稿システムを用いた写真プリント注文システムは、
写真プリントの注文者側に設置されるコンピュータからネットワークを介して画像データのアップロードを受け付ける画像受付部と、
前記アップロードされる画像データと、前記テンプレート保存部に保存されているテンプレートデータとの嵌め込み合成を行う合成処理部と、
前記テンプレートデータ処理部として機能し、嵌め込み合成される前記画像データに基づいて、写真プリントの注文処理を行う注文処理部と、を備えたことを特徴とするものである。
【００１７】
かかる構成による写真プリント注文システムの作用・効果について説明する。この写真プリント注文システムは、インターネット等のネットワークを介して注文者側のコンピュータ（パソコン等）と接続される。このシステムは、コンピュータからアップロードされる画像データを受け付ける機能を有する。また、アップロードされた画像データとの嵌め込み合成が可能なテンプレートデータがテンプレート保存部に保存されている。このテンプレートデータにアップロードされた画像データを嵌め込み合成することができる。作成された合成画像を用いて、写真プリントの注文を行うことができる。このテンプレートデータは、プリントサービスを提供する側で用意するだけではなく、インターネット等のネットワーク経由でオリジナルのテンプレートデータを投稿できるように構成する。投稿ができるコンピュータは、写真プリント注文システムにネットワーク経由で接続可能であればよく、写真プリントの注文を行う注文者のコンピュータであってもよく、写真プリントの注文を行わない者に係るコンピュータであってもよい。上記構成により、多様なテンプレートデータを提供できるようになり、国や地域等の事情に応じたテンプレートデータの提供が可能になると共に、プリント注文システムを提供する側のテンプレート作成にかかる負担を低減することができる。
【００１８】
上記課題を解決するため本発明に係るテンプレート作成プログラムは、上記写真プリント注文システムとネットワーク経由で接続されるコンピュータにインストールされ、このコンピュータをテンプレートデータ投稿装置として機能させるものであって、
前記コンピュータを、
テンプレートデータのテンプレート領域を作成するためのテンプレート作成手段、
テンプレートデータに画像嵌め込み領域を設定するための嵌め込み領域設定手段、
嵌め込み領域が設定されたテンプレートデータのみを前記テンプレート投稿システムに投稿することを許可する投稿許否判断手段、として機能させることを特徴とするものである。
【００１９】
かかるプログラムをコンピュータにインストールすることで、上記写真プリント注文システムに投稿できるテンプレートデータを作成することができる。テンプレートには、テンプレート領域と画像嵌め込み領域が必要である。嵌め込み領域の設定は、創作者の意図を反映すべき項目であり、かかる領域を設定する機能を有することが好ましい。テンプレートデータをテンプレート投稿システムに投稿する場合には、嵌め込み領域が設定されている必要がある。そこで、かかる領域が設定されていないテンプレートデータの投稿を許可しないようにしておく。これにより、画像合成に使用できないテンプレートの提供を防止することができる。
【図面の簡単な説明】
【００２０】
【図１】写真プリント注文システムを含むシステム全体の構成を示す図
【図２】写真プリント注文システムを構成するサーバーの機能を示すブロック図
【図３】テンプレートの構成例を示す図
【図４】パソコンにインストールされるテンプレート作成プログラムの機能を示す図
【図５】写真プリント作成システムの構成を示す図
【図６】テンプレートをサーバーに投稿する場合の手順を示すフローチャート
【図７】テンプレートデータを受信したサーバー側の手順を示すフローチャート
【図８】写真プリント注文システムを用いて写真プリントの注文を行う場合の手順を示すフローチャート
【発明を実施するための形態】
【００２１】
本発明に係るテンプレート投稿システムを用いた写真プリント注文システムの好適な実施形態を図面を用いて説明する。図１は、写真プリント注文システムを含むシステム全体の構成を示す図である。
【００２２】
＜システム全体の構成＞
写真プリント注文システムは、インターネットを介して写真プリントの注文を可能にするためのシステムであり、そのための主要な機能は、インターネットに接続されるサーバー１の機能により提供される。かかる機能は主としてソフトウェアにより提供されるものである。サーバー１の設置台数については、１台に限定されるものではなく、例えば、地域ごと、あるいは国ごとに設置することができる。
【００２３】
パソコン２（コンピュータに相当する）は、写真プリントの注文をオンラインで行う顧客により操作されるものである。パソコン２には、インターネット検索が可能なブラウザがインストールされる。パソコン２を用いて、写真プリント注文システムを提供する会社（業者）のホームページにアクセスすることで、オンラインでの写真プリントの注文を行うことができる。なお、写真プリントの注文はパソコン２に限定されるものではなく、携帯電話やその他の携帯機器等（これらもコンピュータに相当する）から行うことができるようにしてもよい。
【００２４】
また、詳細は後述するが、パソコン２を用いて、自分が作成したオリジナルのテンプレートをサーバー１にアップロードすることができる。テンプレートの作成者は、写真プリントの注文を行う顧客の立場である必要はなく、自分の創作したテンプレートをサーバー１に投稿することができる。
【００２５】
写真プリント作成システム３は、写真プリントを作成するプリンターを備えており、写真店に構築されるシステムである。写真プリント作成システム３は、サーバー１を経由して、写真プリントの注文に係る画像データ等をダウンロードし、写真プリントの作成を行うためのシステムである。写真プリント作成システム３は、写真店毎に構築されるシステムである。
【００２６】
＜システムの詳細な機能＞
図２は、写真プリント注文システムを構成するサーバー１の機能を示すブロック図である。送受信部１０は、インターネットを介して種々のデータの受信および送信を行う機能を有する。画像受付部１１は、パソコン２からアップロードされてきた画像データを受け付ける機能を有する。受け付けられた画像データは、画像データ保存部１００に保存される。画像データ保存部１００は、ハードディスク等の大容量記憶装置が用いられる。
【００２７】
テンプレート受付部１２は、パソコン２からアップロードされてきたテンプレートデータを受け付ける機能を有する。テンプレートとは、画像データを嵌め込み合成することで、より付加価値のある写真プリントを作成しようとするものである。例えば、年賀状プリント、カレンダープリント、名刺プリント、などが例としてあげられる。図３（ａ）は、カレンダープリントを作成するときのテンプレートを例示する図である。テンプレートは、テンプレート領域Ｔ１と、画像データをはめ込む嵌め込み領域Ｔ２により構成される。嵌め込み領域Ｔ２は１つだけに限定されるものではなく、２つ以上の画像データをはめ込むことができるようにしてもよい。
【００２８】
図３（ｂ）は、フォトブック作成用に用いられるテンプレートを例示する図である。（ａ）は、１つのテンプレートが１つのテンプレート画像データにより構成されるが、例えば、フォトブックの場合、表紙画像データ、アルバムページの画像データ、裏表紙画像データの複数のテンプレート画像データにより、１つのテンプレートデータが構成される。このように、複数のテンプレートデータをまとめた形での投稿も可能である。テンプレート領域Ｔ１や嵌め込み領域Ｔ２も必要に応じて各ページに設定されている。
【００２９】
テンプレート保存部１０１には、多数のテンプレートデータが保存される。テンプレート保存部１０１もハードディスク等の大容量記憶装置が用いられる。テンプレートデータは、予め写真店の側で作成したものをサーバー１にアップロードし、これをテンプレート保存部１０１に保存させておくことができる。また、テンプレートデータはインターネットを経由して投稿できるようにしている。
【００３０】
テンプレートのデザインには、好みがあり、国や地域により差異がある。また、写真店において作成できるデザインにも限度があり、写真店におけるテンプレート作成の手間を削減するために、広く公衆から募集できるような仕組みを提供することが好ましい。例えば、テンプレートのデザインとして、その国や地域の風景や習慣に基づいて作成すれば、そのような国や地域から、あるいは、そのような国や地域に興味のある人からの写真プリントの注文依頼の増加を期待することもできる。また、多様なデザインを有するテンプレートを提供することができ、写真プリントの注文増加をより一層期待できるようになる。
【００３１】
投稿可否判断部１３は、テンプレートデータに不正画像が含まれているか否かをチェックし、不正画像が含まれていれば、アップロードされてきたテンプレートの投稿を受け付けないように処理する。不正画像の例として、著作権者の許可を得ていない画像が含まれている場合がある。例えば、有名なアニメのキャラクター画像を含むテンプレートデータが投稿された場合、そのようなテンプレートデータの投稿を拒否する。キャラクターを含むか否かについては、パターンマッチングの技術を用いて検出することができる。
【００３２】
また、ポルノ画像等の公序良俗に違反するような画像が含まれている場合も同様である。そのような画像は、例えば、特開２００８−３３６５６号公報に開示される技術により検出することができる。一般公衆からテンプレートの投稿を受け付ける場合、上記のような不正画像が含まれたテンプレートが投稿される可能性がある。テンプレートが投稿されるたびに、人手によりチェックするのは手間のかかる作業になる。そこで、上記のような機能を有する投稿可否判断部１３を設けることで、不正なテンプレートを予め除外できるようにする。投稿可否判断部１３により、投稿が許可されたテンプレートのみがテンプレート保存部１０１に保存される。
【００３３】
合成処理部１４は、画像データをテンプレートに嵌め込み合成した合成画像を作成する機能を有する。作成した合成画像は、顧客のパソコン２の画面で確認することができる。
【００３４】
注文処理部１５（テンプレートデータ処理部に相当）は、写真プリントの注文処理を行う機能を有する。テンプレートを用いた写真プリントの作成依頼の場合、テンプレートデータに画像データを嵌め込み合成した合成画像データに基づいて、写真プリントの注文処理が行われる。なお、写真プリントの注文の形態は、種々考えられるものであり、上記のテンプレートを用いる場合に限定されるものではない。例えば、１つの画像データを１枚の写真プリントにする通常のプリント注文の他、フォトブックなどの注文処理も行うことができる。
【００３５】
注文処理の内容は、注文に係る画像データやテンプレートデータや、仕上がりのプリントサイズ、プリント枚数、仕上がり日及び時間、プリント代金の決済方法、写真プリントの受け取り方法、オーダー番号、顧客データ等があげられ、これらはオーダーデータとしてオーダー単位に管理されるデータである。
【００３６】
オーダーデータ保存部１０２は、写真プリントの注文に係るオーダーデータが保存される。画像データやテンプレートデータについては、それぞれ画像データ保存部１００やテンプレート保存部１０１に保存されているので、ＩＤ（例えば、ファイル名等の識別情報）により紐付けする形でデータを保存することができる。オーダーデータは、例えば、注文に係る写真プリントの受け渡しが終了した時点で削除することができる。
【００３７】
利用回数カウント部１６は、テンプレートデータが写真プリントの注文に利用された場合、その回数をカウントする機能を有する。テンプレートの投稿を受け入れる場合、そのテンプレートを提供してくれた人に対して、何らかの見返りをすることが好ましい。テンプレートの場合は、そのデザインに対して著作権が成立するのが通常であり、著作物の使用料を提供するようにしている。
【００３８】
演算部１７は、上記の利用回数カウント部１６のカウント結果に応じて、テンプレートの使用料を演算する機能を有する。例えば、１回の利用に対し○○円のように決めておく。演算結果は、使用料データ保存部１０３に保存される。使用料データは、テンプレート毎に演算され、また、テンプレートの提供者ごとにデータが管理される。使用料の支払い方法等については、テンプレートの投稿時に予め決めておくことが好ましい。使用料は一律ではなく、使用回数に応じて変更してもよい。例えば、最初の１０回までは１円、それを超えると１円３０銭のように取り決めすることができる。
【００３９】
また、利用回数について、同じテンプレートに基づく写真プリントの注文が複数枚された場合、利用回数もそのプリント枚数でカウントするようにできる。さらに、使用料の支払いではなく、有価証券やサービスポイント等を作成者に提供するようにしてもよい。例えば、カウント値が所定値たまった場合、図書券（図書カード）や商品券を提供したり、サービスポイントを提供することができる。サービスポイントの利用形態としては、写真プリントのプリント代金のために使用することができる。
【００４０】
テンプレート作成プログラム１８は、オリジナルのテンプレートをパソコン２により投稿する場合に使用するコンピュータプログラム（ソフトウェア）である。テンプレートを投稿しようとするものは、このテンプレート作成プログラム１８をパソコン２にダウンロードしてインストールする。このプログラムは、無料で提供されるものである。
【００４１】
＜パソコンに設定される機能＞
次に、テンプレートの投稿をしようとする場合に、パソコン２に設定すべき機能に関して図４のブロック図により説明する。
【００４２】
送受信部２０は、インターネットを介して種々のデータの送受信を行う機能を有する。ブラウザ２１は、インターネットを行うためのソフトウェアである。テンプレート作成プログラム２２は、サーバー１に格納されているテンプレート作成プログラム１８をダウンロードすることで取得することができる。
【００４３】
テンプレート作成プログラム２２は、テンプレートを作成してサーバー１に投稿するためのプログラムである。テンプレート作成手段２２０は、テンプレートデータを作成するための機能を提供する。
【００４４】
嵌め込み領域設定手段２２１は、テンプレート領域のうち、画像データの嵌め込み合成を行う領域を設定するための機能を提供する。嵌め込み領域は、図３のテンプレートにおいてＴ２で示される。嵌め込み領域の設定は、テンプレート領域における位置座表、サイズなどを設定することができる。また、嵌め込み領域は１つだけでなく、複数設定することができる。その場合、それぞれについて、位置座標とサイズを設定する。なお、嵌め込み領域の形状は矩形や正方形に限定されるものではなく、楕円形、円形、三角形などの形状の他、任意の形状（例えば、ハートマーク、星形等）を設定することができる。
【００４５】
投稿許否判断手段２２２は、嵌め込み領域が設定されたテンプレートのみをサーバー１に投稿可能にするための機能を提供する。嵌め込み領域が設定されていなければ、画像データの嵌め込み合成ができないので、プリントサービスに利用することができない。また、嵌め込み領域の設定は、創作者の意図を反映すべき項目であり、サービスを提供する側ではなく、テンプレートの創作者自身で設定することが好ましい。そこで、嵌め込み領域が設定されていないテンプレートデータの投稿を許可しないようにしておく。
【００４６】
テンプレート保存部２００には、作成されたテンプレートが保存される。嵌め込み領域が設定され、完成されたテンプレートだけでなく、作成途中の段階のテンプレートも保存することができる。作成途中のものは、後日、途中から作成作業を再開することができる。また、一旦設定した嵌め込み領域を後で修正することもできる。
【００４７】
＜写真プリント作成システムの構成＞
写真プリント作成システム３の構成について図５により簡単に説明する。注文受付装置３０は、写真プリントの注文を受け付ける機能を有する。インターネットを介してオンラインの写真プリントの注文を受け付ける場合、サーバー１から画像データやテンプレートデータ等の注文に係るデータをダウンロードする。また、注文受付装置３０は、写真店を直接訪問した顧客からのプリント注文も受け付けることができる。
【００４８】
コントローラ３１は、オーダーデータの管理やプリンターに対する指令を行う。注文受付装置３０を介して取得されたオーダーデータは、コントローラ３１によりオーダー単位で管理される。プリンターとして、銀塩式プリンタ３２やドライ式プリンタ３３がローカルエリアネットワークにより接続されている。プリンター３２，３３に接続台数は、写真店の規模に応じて適宜の台数を設置することができる。
【００４９】
銀塩式プリンタ３２は、印画紙に画像を焼付露光することで写真プリントを作成する方式のプリンタである。ドライ式プリンタ３３は、インクジェット用紙にインクを吐出することで写真プリントを作成する方式のプリンタである。どのような方式のプリンタを用いるかは適宜行うことができる。
【００５０】
＜テンプレートの投稿手順（パソコン側）＞
次に、オリジナルのテンプレートをサーバー１に投稿する場合の手順について図６のフローチャートにより説明する。
【００５１】
まず、テンプレートを投稿するためには、テンプレート作成プログラム２２がインストールされている必要がある。インストールされていれば、ステップＳ５へ移行する。インストールされていない場合、サーバー１にアクセスする（Ｓ１，Ｓ２）。すなわち、写真プリント注文システム１を提供する会社のホームページを開く。
【００５２】
次に、会員登録を行う（Ｓ３）。会員登録は、周知の構成により行われるものであり、氏名、住所等の個人情報の入力と、ＩＤとパスワードの設定も行う。次に、サーバー１からテンプレート作成プログラム１８のダウンロードを行う（Ｓ４）。ダウンロードが終了すると、プログラムを立ち上げる（Ｓ５）。
【００５３】
次に、テンプレートデータの作成を行う（Ｓ６）。作成後、投稿するか否かを判断する（Ｓ７）。投稿しない場合は、テンプレートデータをテンプレート保存部１０２に保存する（Ｓ１０）。テンプレートデータは、作成途中の状態であっても保存することができ、あとで途中から再開することができる。
【００５４】
ステップＳ７で投稿すると判断した場合、嵌め込み領域が設定済みか否かをさらに判断する（Ｓ８）。これは、投稿可否判断手段２２２の機能に基づく。嵌め込み領域は設定されていない場合は投稿できないので、ステップＳ６に戻り作成作業を続ける。嵌め込み領域が設定されていないときに投稿しようとした場合は、パソコン２のモニター画面に投稿できない旨の警告表示を行う。
【００５５】
嵌め込み領域が設定されている場合は、テンプレートの投稿が行われる（Ｓ９）。投稿は、送信ボタンをクリックする等の動作により行うことができる。投稿した後、テンプレートデータは保存される（Ｓ１０）。
【００５６】
＜テンプレートの投稿手順（サーバー側）＞
図６のフローチャートにおいて、テンプレートデータを投稿した後のサーバー側の手順を図７のフローチャートにより説明する。
【００５７】
テンプレートの投稿を行う場合には、認証手続を行う必要がある（Ｓ２０）。認証手続は、ＩＤとパスワードの入力により行うことができる。ＩＤとパスワードを取得していない場合は、別途会員登録手続を行えばよい。
【００５８】
認証が正しく行われた後、テンプレートデータが受信される（Ｓ２１）。次に、投稿可否判断部１３の機能により、不正画像が含まれていないかチェックする（Ｓ２２）。不正画像が含まれていなければ、テンプレートデータはテンプレート保存部１０１に保存される（Ｓ２３）。不正画像が含まれている場合、例えば、著作権違反の疑いのある画像や公序良俗に違反する画像が含まれていると判断した場合は、投稿を拒否する処理を行う（Ｓ２４）。
【００５９】
投稿を拒否した場合は、その旨の処理結果をパソコン２側に返信する（Ｓ２５）。投稿が受理されてテンプレートデータが保存された場合も、同様にその旨の処理結果を返信する。
【００６０】
＜写真プリントの注文処理＞
次に、本実施形態に係る写真プリント注文システムを用いて写真プリントの注文を行う場合の手順を図８のフローチャートにより説明する。
【００６１】
プリント注文を行いたい顧客は、パソコン２を用いてサーバー１にアクセスし、プリントサービスのためのホームページを開く（Ｓ３０）。次に、認証手続を行いＩＤとパスワードの入力を行う（Ｓ３１）。
【００６２】
種々のプリントサービスのうちテンプレートを用いたサービスを利用するか否かを判断する（Ｓ３２）。テンプレートを用いない場合は、その他の注文処理を実行する（Ｓ３３）。テンプレートを用いる場合、テンプレートに嵌め込み合成したい画像データのアップロードを行う（Ｓ３４）。
【００６３】
次に、テンプレートの選択を行う（Ｓ３５）。テンプレートの選択は、例えば、種類毎に分類されており、まず、テンプレートの分類を選択する。例えば、名刺プリントを作成するのであれば、名刺プリントに分類されている多数のテンプレートの中から１つを選択する。なお、分類は段階的に行われていてもよく、例えば、名刺プリントが更に細かく分類されていてもよい。例えば、ビジネス用、プライベート用などの用途で分類したり、日本語、英語等の言語で分類することができる。
【００６４】
テンプレートが選択されたのち、このテンプレートの合成すべき画像データを選択する（Ｓ３６）。ステップＳ３４でアップロードされた画像データは、画面上にサムネイル画像で表示されており、その中から適宜の画像データを選択する。選択された画像データとテンプレートデータとの画像合成が行われる（Ｓ３７）。
【００６５】
画面表示された合成画像を見てＯＫであれば、次のステップに進み、ＯＫでなければ、ステップＳ３５に戻り、テンプレートの選択や画像データの選択をやり直す（Ｓ３８）。あるいは、嵌め込み合成する画像データの位置や拡大縮小率の調整を行う。
【００６６】
画像合成がＯＫであれば、他のテンプレートについて同様の手順を行うか否かを判断し（Ｓ３９）、さらに作業を続ける場合はステップＳ３５に戻り、同様の手順を繰り返す。作業が終了すれば、注文処理を行う（Ｓ４０）。注文処理は、プリントサイズの設定、プリント枚数の設定、決済方法の選択、受け取り方法の選択等を決めるための処理である。注文処理を行った後、注文内容を確定させるための処理を行う（Ｓ４１）。注文処理を確定させると、その確認メールがパソコン２に送信される。
【００６７】
また、注文処理を確定させることで、プリント注文に使用したテンプレートの内容も確定する。そこで、使用に係るテンプレートに関して使用回数のカウントアップの処理を行う（Ｓ４２）。これは、利用回数カウント部１６の機能に基づくものである。カウントアップと共に、テンプレートの使用料の演算を行う。これは演算部１７の機能に基づくものである。同じテンプレートを使用したプリント枚数が複数であれば、カウントもそれに応じてカウントする。
【００６８】
＜効果＞
本発明によれば、テンプレートの投稿をサーバーで受け付けるようにしたので、地域や国の特性・事情に応じたテンプレートを提供することができる。多様なテンプレートを提供可能にすることで、プリント注文の需要の増加を期待することができる。テンプレートの創作者には著作権の使用料を支払うようにしているので、オリジナルのテンプレートの創作意欲を掻き立てることができ、より優れたデザインを有するテンプレートの投稿も期待できるようになる。
【００６９】
＜別実施形態＞
パソコン２（コンピュータ）とサーバー１を接続するネットワークの形態については、種々の態様が考えられ、特定の形態に限定されるものではない。例えば、有線・無線、あるいはそれらの組み合わせにより行うことができる。
【００７０】
本実施形態において、テンプレート投稿システムを写真プリント注文システムに使用した例を説明したが、本発明は、これに限定されるものではない。テンプレートデータと画像データを合成した合成画像を写真プリント以外にも利用することができる。例えば、Ｔシャツ等の衣服へのプリントに利用できる。また、マグカップ、お皿等の食器へのプリントにも利用できる。合成画像がプリントされる対象は、特に写真プリント（ペーパー）限定されるものではない。
【００７１】
本実施形態では、テンプレートデータを用いたサービスとして、当該テンプレートデータと画像データとを嵌め込み合成した合成画像に基づいて、サービスの提供を行っている。本発明は、これに限定されるものではなく、投稿されたテンプレートそのものを商品（販売）の対象にしてもよい。この場合、テンプレートデータと画像データとの合成処理というものは特に行われない。ただし、写真プリント等のプリント注文と合わせてテンプレートの購入を行うことができるシステムとしてもよい。
【符号の説明】
【００７２】
１        サーバー（写真プリント注文システム）
２        パソコン（コンピュータ）
３        写真プリント作成システム
１１      画像受取部
１２      テンプレート受付部
１３      投稿可否判断部
１４      合成処理部
１５      注文処理部
１６      利用回数カウント部
２２      テンプレート作成プログラム
１００    画像データ保存部
１０１    テンプレート保存部
２２０    テンプレート作成手段
２２１    嵌め込み領域設定手段
２２２    投稿許否判断手段
【図１】
2011022932.tif 000003
【図２】
2011022932.tif 000004
【図３】
2011022932.tif 000005
【図４】
2011022932.tif 000006
【図５】
2011022932.tif 000007
【図６】
2011022932.tif 000008
【図７】
2011022932.tif 000009
【図８】
2011022932.tif 000010